(57)【要約】      （修正有）【課題】両耳兼用で使用でき、更に、構造が簡単で、低コスト化が可能なイヤホンを提供する。【解決手段】イヤホン１は、ドライバユニットが収納されたハウジング２と、ハウジングの前部に突設された音導管４と、音導管の外周に取り付けられたイヤーピース５と、ハウジングの後部に収納され、挿抜自在のプラグ２０を受け入れて音声信号を入力するジャック１０と、を備える。ジャックは、異なる２方向から選択的に１つのプラグを受け入れる第１ジャック部１０ａ及び第２ジャック部１０ｂを有し、第１ジャック部と第２ジャック部とは、プラグとの電気的な接触部の一部が共用された構造になっている。【選択図】図１
0003230317.tif 000002
【実用新案登録請求の範囲】
【請求項１】
入力された音声信号を音波に変換するドライバユニットが収納されたハウジングと、
前記ハウジングの前部に突設され、前記音波を所定方向へ送出する音導管と、
前記音導管の外周に取り付けられて耳の外耳道へ挿入されるイヤーピースと、
前記ハウジングの後部に収納され、挿抜自在のプラグを受け入れて前記プラグから前記音声信号を入力するジャックと、
を備え、
前記ジャックは、異なる２方向から選択的に１つの前記プラグを受け入れる第１ジャック部及び第２ジャック部を有し、
前記第１ジャック部と前記第２ジャック部とは、前記プラグとの電気的な接触部の一部が共用された構造になっている、
ことを特徴とするイヤホン。
【請求項２】
前記接触部の一部は、
前記プラグの先端部と接触するチップ端子である、
ことを特徴とする請求項１記載のイヤホン。
【請求項３】
前記イヤホンは、右耳用と左耳用とが対称形状になっており、
前記ハウジングの前記後部内の上下又は左右に、前記第１ジャック部と前記第２ジャック部とが設けられている、
ことを特徴とする請求項２記載のイヤホン。
【請求項４】
前記音導管は、
前記ハウジングの前部から傾斜して突出している、
ことを特徴とする請求項３記載のイヤホン。
【請求項５】
前記プラグは、
同軸上に先頭から後部に向かってチップ、絶縁カラー及びスリーブが配設された単頭プラグであり、
前記第１ジャック部及び前記第２ジャック部は、
一定の距離をおいて同軸上に配置され、前記スリーブと接触する第１スリーブ端子及び第２スリーブ端子と、
前記第１スリーブ端子及び前記第２スリーブ端子間に配置され、前記チップと接触する共通のチップ端子と、
を有することを特徴とする請求項４記載のイヤホン。
【請求項６】
前記第１スリーブ端子及び前記第２スリーブ端子は、
ばね性を有するコイルスプリグ又は板片により構成され、
前記チップ端子は、
ばね性を有する板片により構成されている、
ことを特徴とする請求項５記載のイヤホン。
【考案の詳細な説明】
【技術分野】
【０００１】
本考案は、左右、上下方向に自在に装着可能なイヤホンに関し、例えば、耳に挿入して装着するカナル型（耳栓型とも言われる。）イヤホンに適用して好適なものである。
【背景技術】
【０００２】
従来、カナル型イヤホンは、例えば、特許文献１に記載されているように、ハウジングを有し、そのハウジング内に、コードから入力された音声信号を音波に変換するドライバユニットが収納されている。ドライバユニットは、マグネット、ボイスコイル及び振動板により構成されている。ハウジングの前部には、ドライバユニットで変換された音波を、所定方向へ送出する筒状の音導管が突設されている。耳の外耳道入口は、顔の前方に向かって傾斜しているので、その外耳道の傾斜に対応して、音導管が、ハウジングの前部から傾斜して突出している。音導管の外周には、外耳道へ挿入される軟質性樹脂からなる略傘状のイヤーピースが取り付けられている。ハウジングの後部からは、ドライバユニットに音声信号を入力するためのコードが引き出されている。
【０００３】
このようなカナル型イヤホンを耳へ装着すると、コードから入力された音声信号が、ドライバユニットにて音波に変換され、音導管に取り付けられたイヤーピースから、外耳道奥の鼓膜へ放出される。そのため、装着時に耳から外れ難く、密着性が高くて音漏れも少ないので、聴き取り易いという特徴がある。更に、音導管が、ハウジングの前部から傾斜して突出しているので、イヤーピースの外耳道への挿着感が良く、しかも、ハウジングの全体を大きくしても、そのハウジングが耳甲介腔内に収まるので、ドライバユニット中の振動板を大きくして十分良好な音質の音波を発生させることができる。
【０００４】
又、特許文献２及び３には、ハウジング内にジャックを設け、コード端末に接続されたプラグをそのジャックに対して挿抜自在に挿着するコネクタ構造にすることにより、コードとドライバユニットとを電気的に接続するイヤホンが開示されている。
【先行技術文献】
【特許文献】
【０００５】
【特許文献１】特許第４７０９０１７号公報（特開２００７−１８９４６８号公報）
【特許文献２】特開２０１３−２６７６８号公報
【特許文献３】特開２０１９−２０５０４６号公報
【考案の概要】
【考案が解決しようとする課題】
【０００６】
従来の特許文献１に記載されたカナル型イヤホンでは、音導管を、ハウジングの前部から傾斜して突出させているので、挿着感が良く、且つ良好な音質の音波を出力できるという特徴を有している。しかし、音導管がハウジングの前部から傾斜して突設された形状であるため、左耳用のイヤホンと右耳のイヤホンとは、同一の形状ではなく、左右対称の異なる形状になっている。そのため、左右のイヤホンを兼用できないので、左右のイヤホンを別個に製造しなければならず、不利不便である。
【０００７】
これを解決するために、特許文献２及び３に開示されたジャック及びプラグのコネクタ構造を利用して、左右のイヤホンを兼用できる構造にすることが考えられる。しかし、左右のイヤホンは、対称形状とはいえ、異なる形状であるから、特許文献１のカナル型イヤホンに対して、特許文献２及び３のコネクタ構造を単に適用しても、左右のイヤホンを兼用できる構造にすることが難しく、仮に可能であっても、ジャック部分の構造が複雑になって小型化も難しい、という課題が生じる。
【課題を解決するための手段】
【０００８】
本考案のイヤホンは、入力された音声信号を音波に変換するドライバユニットが収納されたハウジングと、前記ハウジングの前部に突設され、前記音波を所定方向へ送出する音導管と、前記音導管の外周に取り付けられて耳の外耳道へ挿入されるイヤーピースと、前記ハウジングの後部に収納され、挿抜自在のプラグを受け入れて前記プラグから前記音声信号を入力するジャックと、を備えている。そして、前記ジャックは、異なる２方向から選択的に１つの前記プラグを受け入れる第１ジャック部及び第２ジャック部を有し、前記第１ジャック部と前記第２ジャック部とは、前記プラグとの電気的な接触部の一部が共用された構造になっていることを特徴とする。
【考案の効果】
【０００９】
本考案のイヤホンによれば、ハウジングの後部に、異なる２方向から選択的に１つのプラグを受け入れるジャックが設けられているので、そのプラグの挿入方向を例えば上又は下にすることにより、両耳兼用で使用でき、製造の手間が省けて便利である。又、本考案のイヤホンは、両耳兼用で使用できるばかりか、当然に、片耳にも使用できる。例えば、左耳に装着していたイヤホンを右耳に装着する場合は、プラグを反対側から差し込めば良い。更に、ジャックは、第１ジャック部及び第２ジャック部を有し、その一部が共用された構造になっているので、ジャックの全体の構造が簡単になり、小型化及び低コスト化が可能になる。
【図面の簡単な説明】
【００１０】
【図１】本考案の実施例１におけるカナル型イヤホンを示す外観図
【図２】図１（ｃ）の横断面図
【図３】図１（ｃ）の一部切り欠き縦断面図
【図４】図１のカナル型イヤホンに収納されたジャックを示す図
【図５】イヤホン使用者の両耳箇所の横断面図
【図６】イヤホン使用者の左耳箇所の側面図
【図７】イヤホン使用者の左耳箇所の側面図
【図８】本考案の実施例２におけるジャックを示す図
【考案を実施するための形態】
【００１１】
本考案を実施するための形態は、以下の好ましい実施例の説明を添付図面と照らし合わせて読むと、明らかになるであろう。但し、図面はもっぱら解説のためのものであって、本考案の範囲を限定するものではない。
【実施例１】
【００１２】
（実施例１の構成）
図１（ａ），（ｂ），（ｃ）は、本考案の実施例１におけるカナル型イヤホンを示す外観図であり、同図（ａ）は外観の斜視図、同図（ｂ）は同図（ａ）の側面図（左耳用に使用する場合）、同図（ｃ）は同図（ａ）の側面図（右耳用に使用する場合）である。図２は、図１（ｃ）の横断面図である。図３は、図１（ｃ）の一部切り欠き縦断面図である。更に、図４（ａ），（ｂ），（ｃ）は、図１のカナル型イヤホンに収納されたジャックを示す図であり、同図（ａ）はフラグが挿入されたジャックの一部切り欠き断面図、同図（ｂ）は同図（ａ）中のプラグの側面図、同図（ｃ）は同図（ａ）の右側面図である。
【００１３】
本実施例１のカナル型イヤホン１は、左耳及び右耳兼用になっており、電気部品収納用のハウジング２を有している。ハウジング２は、電気部品の収納を容易にするために、例えば、前部ハウジング２ａ及び後部ハウジング２ｂの２分割構造になっている。前部ハウジング２ａと後部ハウジング２ｂとは、合掌状態に嵌合されて１つのハウジング２に一体化される。前部ハウジング２ａ内には、ドライバユニット３が収納されている。
【００１４】
ドライバユニット３は、入力された音声信号を音波に変換するものであり、図示しないが、マグネット、ボイスコイル及び振動板により構成されている。そして、マグネットにより構成された磁気回路中に、ボイスコイルを有する振動板が配置され、そのボイスコイルに音声信号が入力されると、振動板が振動して音波が発生する構造になっている。
【００１５】
前部ハウジング２ａの正面側には、円筒状の音導管４が傾斜して突設されている。音導管４は、振動板から発生した音波を所定方向へ送出（導出）するものであり、耳の外耳道の傾斜に対応して、前部ハウジング２ａの正面側から傾斜して突出している。音導管４の外周には、環状の嵌合凹部４ａが形成されている。音導管４の外周には、イヤーピース５が着脱自在に装着されている。イヤーピース５は、外耳道へ挿入されるものであり、シリコンゴム等の軟質性樹脂により、略傘状に形成されている。イヤーピース５の内壁面には、環状の嵌合凸部５ａが形成され、音導管４側の嵌合凹部４ａと係合して、イヤーピース５を固定するようになっている。
【００１６】
後部ハウジング２ｂの背面側の上下方向には、ジャック１０が収納されている。ジャック１０は、異なる２方向から選択的に１つのプラグ２０を挿抜自在に受け入れて音声信号を入力する第１ジャック部１０ａ及び第２ジャック部１０ｂを有している。第１ジャック部１０ａと第２ジャック部１０ｂとは、プラグ２０との電気的な接触部の一部が共用された構造になっている。即ち、第１ジャック部１０ａ及び第２ジャック部１０ｂは、ジャック部品を正位置に保持するための側面が開口した筒状のジャックケース１１と、その開口した側面を閉塞する基板１２と、を有している。ジャックケース１１の両端面には、第１ジャック部１０ａ側のプラグ挿入口１３と、第２ジャック部１０ｂ側のプラグ挿入口１４と、が形成されている。
【００１７】
第１ジャック部１０ａ側のプラグ挿入口１３内の近傍には、第１ジャック部１０ａを構成する第１スリーブ端子１５が配置され、更に、第２ジャック部１０ｂ側のプラグ挿入口１４内の近傍にも、第２ジャック部１０ｂを構成する第２スリーブ端子１６が配置されている。第１スリーブ端子１５と第２スリーブ端子１６とは、対向して配置されている。第１スリーブ端子１５及び第２スリーブ端子１６は、ばね性と導電性を有するピアノ線やリン青銅線等の材質からなるコイルスプリングにより構成され、そのコイルスプリングの一端が、基板１２に貫通固定されている。第１スリーブ端子１５と第２スリーブ端子１６との間には、第１ジャック部１０ａ及び第２ジャック部１０ｂを構成する共用のチップ端子１７が配置されている。チップ端子１７は、ばね性と導電性を有するリン青銅等の材質からなる板片により構成され、その板片の一端がジャックケース１１の内壁に固定され、他端が基板１２に貫通固定され、中央にプラグ側のチップを挿入するためのチップ挿入孔が形成されている。基板１２に貫通固定された第１、第２スリーブ端子１５，１６及びチップ端子１７の端部は、図示しないリード線によってドライバユニット３と電気的に接続されている。
【００１８】
第１ジャック部１０ａ側のプラグ挿入口１３又は第２ジャック部１０ｂ側のプラグ挿入口１４のいずれか一方から挿抜自在に挿入されるプラグ２０は、例えば、日本工業規格ＪＩＳＣ５５６０に規定された２極超小型単頭プラグにより構成されている。このプラグ２０は、同軸上に先端から後部に向かって、ジャック側のチップ端子１７に接触するチップ２１と、絶縁カラー２２と、ジャック側の第１、第２スリーブ端子１５，１６に接触するスリーブ２３と、が配設され、更に、そのスリーブ２３の端部に、コード２５を引き出すためのつまみ２４が設けられている。
【００１９】
なお、図１〜図４等において、左耳用イヤホンには符号１Ｌ、右耳用イヤホンには符号１Ｒ、左耳用プラグには符号２０Ｌ、右耳用プラグには符号２０Ｒ、左耳用コードには符号２５Ｌ、及び、右耳用コードには符号２５Ｒが、それぞれ付されている。
【００２０】
（実施例１の使用方法）
図５は、イヤホン使用者３０の両耳箇所の横断面図である。更に、図６は、イヤホン使用者３０の左耳箇所の側面図である。
図５に示すように、イヤホン使用者３０の左耳３１Ｌ及び右耳３１Ｒの耳甲介腔３２内には、外耳道３３が連通している。外耳道３３は、入口から顔の前方に向かって傾斜している。
【００２１】
本実施例１のカナル型イヤホン１は、左耳用イヤホン１Ｌと右耳用イヤホン１Ｒとを兼用できる。例えば、図６に示すように、プラグ２０に接続されたコード２５において、左耳用プラグ２０Ｌに接続された左耳用コード２５Ｌを、左耳用イヤホン１Ｌの下方から引き出し、更に、右耳用プラグ２０Ｒに接続された右耳用コード２５Ｒを、右耳用イヤホン１Ｒの下方から引き出して使用する場合について説明する。
【００２２】
イヤホン１を右耳用イヤホン１Ｒとして使用する場合は、図１（ａ）に示すように、コード２５Ｒの端末に接続された右耳用プラグ２０Ｒを、右耳用イヤホン１Ｒの上方から第１ジャック部１０ａのプラグ挿入口１３へ挿入する。すると、右耳用プラグ２０Ｒのチップ２１が、第１、第２ジャック部１０ａ，１０ｂ内の兼用のチップ端子１７に接触し、更に、スリーブ２３が、第１ジャック部１０ａ内の第１スリーブ端子１５に接触して、その右耳用プラグ２０Ｒが右耳用イヤホン１Ｒの第１ジャック部１０ａと電気的に接続される。そして、図１（ｃ）に示すように、挿入された右耳用プラグ２０Ｒを下方向へ向け、図５に示すように、先端のイヤーピース５を、右耳３１Ｒの耳甲介腔３２を通して外耳道３３へ挿入する。
【００２３】
同様に、イヤホン１を左耳用イヤホン１Ｌとして使用する場合は、図１（ｂ）及び図４（ａ）に示すように、コード２５Ｌの端末に接続された左耳用プラグ２０Ｌを、左耳用イヤホン１Ｌの下方から第２ジャック１０ｂのプラグ挿入口１４へ挿入する。すると、図４（ａ）に示すように、左耳用プラグ２０Ｌのチップ２１が、第１、第２ジャック部１０ａ，１０ｂ内の兼用のチップ端子１７に接触し、更に、スリーブ２３が、第２ジャック部１０ｂ内の第２スリーブ端子１６に接触して、その左耳用プラグ２０Ｌが左耳用イヤホン１Ｌの第２ジャック部１０ｂと電気的に接続される。そして、図５に示すように、左耳用イヤホン１Ｌの先端のイヤーピース５を、左耳３１Ｌの耳甲介腔３２を通して外耳道３３へ挿入する。
【００２４】
このように、右耳用イヤホン１Ｒを右耳３１Ｒに挿着する共に、左耳用イヤホン１Ｌを左耳３１Ｌに挿着する。そして、右耳用プラグ２０Ｒ及び左耳用プラグ２０Ｌから、右耳用イヤホン１Ｒ及び左耳用イヤホン１Ｌ内のジャック１０に、それぞれステレオ音声信号が入力されると、右耳用イヤホン１Ｒにおいて、ドライバユニット３にて音波に変換され、音導管４及びイヤーピース５を通して右耳３１Ｒの外耳道３３内の鼓膜へ放出され、同時に、左耳用イヤホン１Ｌにおいて、ドライバユニット３にて音波に変換され、音導管４及びイヤーピース５を通して右耳３１Ｌの外耳道３３内の鼓膜へ放出される。これにより、イヤホン使用者３０は、右耳３１Ｒ及び左耳３１Ｌにて、再生されたステレオ音声信号を聴くことができる。
【００２５】
（実施例１の他の使用方法）
図７は、イヤホン使用者３０の左耳箇所の側面図である。
図６では、左耳用プラグ２０Ｌに接続された左耳用コード２５Ｌを、左耳用イヤホン１Ｌの下方から引き出し、更に、右耳用プラグ２０Ｒに接続された右耳用コード２５Ｒを、右耳用イヤホン１Ｒの下方から引き出して使用する場合の例が示されている。
【００２６】
しかし、他の使用例として、図７に示すように、左耳用プラグ２０Ｌに接続された左耳用コード２５Ｌを、左耳用イヤホン１Ｌの上方から引き出し、更に、右耳用プラグ２０Ｒに接続された右耳用コード２５Ｒを、右耳用イヤホン１Ｒの上方から引き出し、それらのコード２５Ｌ，２５Ｒを左右の耳３１Ｌ，３１Ｒに引っ掛けて後方に回して使用することも可能である。
【００２７】
（実施例１の効果）
本実施例１のイヤホン１（１Ｌ，１Ｒ）によれば、次の（１）〜（３）のような効果がある。
（１）  本実施例１のイヤホン１（１Ｌ，１Ｒ）では、特許文献１と同様に、音導管４が、ハウジング２の前部に傾斜して突設されているので、挿着感が良く、且つ良好な音質の音波を出力できるという特徴を有している。しかも、本実施例１のイヤホン１（１Ｌ，１Ｒ）では、ハウジング２の後部に、異なる２方向（例えば、上下方向）から選択的に１つのプラグ２０（２０Ｌ，２０Ｒ）を受け入れるジャック１０が設けられているので、そのプラグ２０（２０Ｌ，２０Ｒ）の挿入方向を上又は下にすることにより、両耳兼用で使用でき、製造の手間が省けて便利である。
（２）  本実施例１のイヤホン１（１Ｌ，１Ｒ）は、両耳兼用で使用できるばかりか、当然に、片耳にも使用できる。例えば、左耳３１Ｌに装着していた左耳用イヤホン１Ｌを右耳３１Ｒに装着する場合は、その左耳用プラグ２０Ｌを反対側から差し込めば良い。
（３）  本実施例１のジャック１０は、上下方向の第１ジャック部１０ａ及び第２ジャック部１０ｂを有し、その一部（例えば、チップ端子１７）が共用された構造になっているので、ジャック１０の全体の構造が簡単になり、小型化及び低コスト化が可能になる。
【実施例２】
【００２８】
図８（ａ），（ｂ），（ｃ）は、本考案の実施例２におけるジャックを示す図であり、同図（ａ）はフラグが挿入されたジャックの一部切り欠き断面図、同図（ｂ）は同図（ａ）中のプラグの側面図、同図（ｃ）は同図（ａ）の右側面図である。
【００２９】
本実施例２のジャック１０Ａは、実施例１のジャック１０の内部構造と異なり、そのジャック１０のコイルスプリングからなる２つの第１、第２スリーブ端子１５，１６に代えて、ばね性と導電性を有するリン青銅等からなる板片の２つの第１、第２スリーブ端子１５Ａ，１６Ａが設けられている。このような本実施例２の第１、第２スリーブ端子１５Ａ，１６Ａを有するジャック１０Ａを備えたカナル型イヤホンであっても、実施例１と略同様の作用効果を奏することができる。
【００３０】
（変形例）
本考案は、上記実施例１，２に限定されず、種々の利用形態や変形が可能である。この利用形態や変形例としては、例えば、次の（ａ），（ｂ）のようなものがある。
（ａ）  実施例１，２では、音導管４がハウジング２の前部から傾斜して突設されているが、この構造に限定されない。音導管４は、ハウジング２の前部から真っ直ぐ突出していても良く、実施例１，２と略同様の作用効果を奏する。又、ハウジング２の形状やドライバユニット３の構造は、図示以外のものであっても良い。
（ｂ）  ジャック１０，１０Ａ及びプラグ２０（２０Ｌ，２０Ｒ）の形状及び構造は、図示以外のものであっても良い。例えば、第１ジャック部１ａ及び第２ジャック部２ｂは、後部ハウジング２ｂ内の上下に設けられているが、その第１ジャック部１ａ及び第２ジャック部２ｂを、後部ハウジング２ｂ内の左右に設けても良い。
【符号の説明】
【００３１】
１（１Ｌ，１Ｒ）      イヤホン
２      ハウジング
３      ドライバユニット
４      音導管
５      イヤーピース
１０，１０Ａ      ジャック
１５，１５Ａ，１６，１６Ａ      スリーブ端子
１７      チップ端子
２０（２０Ｌ，２０Ｒ）      プラグ
２１      チップ
２２      絶縁カラー
２３      スリーブ
２５，２５Ｌ，２５Ｒ      コード
【図１】
0003230317.tif 000003
【図２】
0003230317.tif 000004
【図３】
0003230317.tif 000005
【図４】
0003230317.tif 000006
【図５】
0003230317.tif 000007
【図６】
0003230317.tif 000008
【図７】
0003230317.tif 000009
【図８】
0003230317.tif 000010